(57)【要約】【課題】監視業務を妨げることなく、動作確認等を行うことができる水処理施設の監視制御システム及び監視制御方法を提供する。【解決手段】ネットワークＮに常時接続され、水処理施設の状態及びネットワークＮの状態を監視するための監視情報を第１の表示装置２１Ａに表示させる第１の監視端末２０Ａと、ネットワークＮに一時的に接続されることにより、監視情報を第２の表示装置２１Ｂに表示させ、前記水処理施設及び前記ネットワークを構成する機器の動作確認を行う第２の監視端末２０Ｂを、ネットワークＮに接続するための接続部Ｊと、を有し、接続部Ｊに第２の監視端末２０Ｂが接続された場合に、第１の監視端末２０Ａは、第２の監視端末２０Ｂに関する情報以外の監視情報を、第１の表示装置２１Ａに表示させ、第２の監視端末２０Ｂは、第２の監視端末２０Ｂに関する情報を含む監視情報を、第２の表示装置２１Ｂに表示させる。【選択図】図５
2020086579.tif 000002
【特許請求の範囲】
【請求項１】
ネットワークに常時接続され、水処理施設の状態及び前記ネットワークの状態を監視するための監視情報を第１の表示装置に表示させる第１の監視端末と、
前記ネットワークに一時的に接続されることにより、前記監視情報を第２の表示装置に表示させ、前記水処理施設及び前記ネットワークを構成する機器の動作確認を行う第２の監視端末を、前記ネットワークに接続するための接続部と、
を有し、
前記接続部に前記第２の監視端末が接続された場合に、前記第１の監視端末は、前記第２の監視端末に関する情報以外の監視情報を、前記第１の表示装置に表示させ、前記第２の監視端末は、前記第２の監視端末に関する情報を含む監視情報を、前記第２の表示装置に表示させることを特徴とする水処理施設の監視制御システム。
【請求項２】
前記監視情報は、前記水処理施設の状態及び前記ネットワークの状態を時系列で示す履歴情報を含むことを特徴とする請求項１記載の水処理施設の監視制御システム。
【請求項３】
前記接続部に前記第２の監視端末が接続された場合に、
前記第２の監視端末は、前記第１の監視端末に配信しない設定で、前記履歴情報を作成し、
前記第１の監視端末は、前記第２の監視端末に配信する設定で、前記履歴情報を作成することを特徴とする請求項１又は請求項２記載の水処理施設の監視制御システム。
【請求項４】
前記監視情報は、前記ネットワークの状態を示すシステム構成を図示するためのシステム構成情報を含み、
前記接続部に前記第２の監視端末が接続された場合に、
前記第２の監視端末は、前記第２の監視端末を含むシステム構成図を、前記第２の表示装置に表示させ、
前記第１の監視端末は、前記第２の監視端末を含まないシステム構成図を、前記第２の表示装置に表示させることを特徴とする請求項１乃至３のいずれかに記載の水処理施設の監視制御システム。
【請求項５】
水処理施設の状態及びネットワークの状態を監視するための監視情報を、第１の表示装置に表示させる第１の監視端末が接続されたネットワークに、前記監視情報を第２の表示装置に表示させる第２の監視端末を一時的に接続し、
前記第１の監視端末が、前記第２の監視端末に関する情報以外の監視情報を、前記第１の表示装置に表示させ、
前記第２の監視端末が、前記第２の監視端末に関する情報を含む監視情報を、前記第２の表示装置に表示させ、前記水処理施設及び前記ネットワークを構成する機器の動作確認を行う、
ことを特徴とする水処理施設の監視制御方法。
【発明の詳細な説明】
【技術分野】
【０００１】
本発明の実施形態は、水処理施設の監視制御システム及び監視制御方法に関する。
【背景技術】
【０００２】
従来から、上水道又は下水道の水処理施設を監視する監視制御システムは、ネットワークを介して接続された監視端末、コントローラ、動力盤等を有している。オペレータは、監視端末の表示装置に表示された監視情報を参照しながら、入力装置を介して各種の指示を入力する。コントローラは、あらかじめ設定された制御ロジックに従って、動力盤に信号を出力する。動力盤は、入力された信号に従って、現場に配置されたポンプ、弁等の各種の機器を動作、停止させる。
【０００３】
監視制御のために表示装置に表示される監視情報としては、例えば、履歴情報、システム構成図等がある。履歴情報は、機器の運転、停止、故障、水位の異常などの水処理施設の状態をイベントとして時系列で表示する情報である。この履歴情報における個別のメッセージは、重要度に応じてアラームとして色分け表示される。また、ネットワークに接続された監視端末を図示したシステム構成図も、監視情報に含まれる。
【０００４】
以下の説明では、このような水処理施設の監視制御システムを納入した側、つまり納入元の法人及びその社員を納入者、監視制御システムを納入された側、つまり納入先の法人及びその社員又は自治体及びその職員を被納入者とする。被納入者における監視制御システムが設置された場所を機場と呼ぶ。被納入者の水処理施設で機器の設置、交換、メンテナンス等の作業を行う必要が生じた場所を現地と呼ぶ。機場にて作業を行う者を作業員と呼び、特に現地にて作業を行う者を現地作業員と呼ぶ。
【先行技術文献】
【特許文献】
【０００５】
【特許文献１】国際公開第２０１５／１７０４０８号公報
【発明の概要】
【発明が解決しようとする課題】
【０００６】
水処理施設の監視制御システムにおいては、納入先の機場において、各種の機器の動作確認をする必要がある。このような動作確認は、例えば、以下のような場合に行われていた。
（１）監視端末、コントローラや、ポンプ、弁等の負荷を含む機器を新しく納入する時、既存の機器を更新する時、新たに接続された機器と既設の監視端末との間で、入力と出力を納入先の機場で確認する。
（２）システムの不具合が発見された場合に、原因を究明するために、納入先の機場で機器の動作を確認する。
【０００７】
ここで、上記の作業は、納入先の機場内にある既設の監視端末を、現地作業員が一時的に使用して実施していた。一時的に使用する監視端末は、平常時には被納入者が監視業務に使用している装置であるため、現地作業員が使用してしまうと、監視業務を妨げる可能性が高い。これに対処するため、被納入者が監視端末を使用する可能性の低い期間に限定して作業を行っていた。
【０００８】
しかし、被納入者が監視端末を使用する可能性の低い期間は、動作確認のために十分な時間として確保できない場合、作業時間の延長、コストの増大を招く問題があった。また、被納入者の業務への影響を十分に抑えられない場合、被納入者の満足度の低下につながる。
【０００９】
本発明の実施形態は、上記のような従来技術の問題点を解決するために提案されたものであり、その目的は、監視業務を妨げることなく、動作確認等を行うことができる水処理施設の監視制御システム及び監視制御方法を提供することにある。
【課題を解決するための手段】
【００１０】
本発明の実施形態である水処理施設の監視制御システムは、ネットワークに常時接続され、水処理施設の状態及び前記ネットワークの状態を監視するための監視情報を第１の表示装置に表示させる第１の監視端末と、前記ネットワークに一時的に接続されることにより、前記監視情報を第２の表示装置に表示させ、前記水処理施設及び前記ネットワークを構成する機器の動作確認を行う第２の監視端末を、前記ネットワークに接続するための接続部と、を有し、前記接続部に前記第２の監視端末が接続された場合に、前記第１の監視端末は、前記第２の監視端末に関する情報以外の監視情報を、前記第１の表示装置に表示させ、前記第２の監視端末は、前記第２の監視端末に関する情報を含む監視情報を、前記第２の表示装置に表示させる。
【００１１】
実施形態の水処理施設の監視制御方法は、水処理施設の状態及びネットワークの状態を監視するための監視情報を、第１の表示装置に表示させる第１の監視端末が接続されたネットワークに、前記監視情報を第２の表示装置に表示させ、第２の監視端末を一時的に接続し、前記第１の監視端末が、前記第２の監視端末に関する情報以外の監視情報を、前記第１の表示装置に表示させ、前記第２の監視端末が、前記第２の監視端末に関する情報を含む監視情報を、前記第２の表示装置に表示させ、前記水処理施設及び前記ネットワークを構成する機器の動作確認を行う。
【図面の簡単な説明】
【００１２】
【図１】実施形態の監視制御システムの監視対象を示すフロー図
【図２】実施形態の監視制御システムの構成を示す図
【図３】実施形態の監視端末を示すブロック図
【図４】第２の表示装置の履歴情報の表示画面例（Ａ）、第１の表示装置の履歴情報の表示画面例（Ｂ）を示す図
【図５】第２の表示装置のシステム構成図の表示画面例（Ａ）、第１の表示装置のシステム構成図の表示画面例（Ｂ）を示す図
【図６】実施形態の監視制御システムの履歴情報の表示処理の手順を示すフローチャート。
【図７】実施形態の監視制御システムにおける第２の監視端末の接続及び切断を示す図
【図８】実施形態の監視制御システムのシステム構成画面の表示処理の手順を示すフローチャート
【図９】遠隔にある現場での第２の監視端末の接続例を示す図
【発明を実施するための形態】
【００１３】
実施形態の水処理施設の監視制御システムを、図面を参照して説明する。
［水処理施設］
まず、実施形態の監視対象となる水処理施設を説明する。監視対象となる水処理施設は、上水道又は下水道の水流を制御する施設である。図１は、水処理施設の機器の接続構成及び水流の一部を、グラフィック化したフロー図である。このフロー図は、後述する表示装置２１（図２参照）に表示される。
【００１４】
図１の例では、制御対象となる機器の一例である１号ポンプＰ１〜４号ポンプＰ４、弁Ｂ１〜Ｂ４、貯留設備Ｔを示している。つまり、給水又は配水が停止しないように、給水路又は配水路が並列の配管により構成され、各配管に、１号ポンプＰ１〜４号ポンプＰ４、弁Ｂ１〜Ｂ４が設けられ、貯留設備Ｔに接続されている。以下、１号ポンプＰ１〜４号ポンプＰ４を区別しない場合、弁Ｂ１〜Ｂ４を区別しない場合には、ポンプＰ、弁Ｂとして説明する。
【００１５】
各ポンプＰ１〜Ｐ４は、モータＭ１〜Ｍ４により駆動され（図２参照）、配管を介して水を送り出す機器である。以下、モータＭ１〜Ｍ４を区別しない場合には、モータＭとして説明する。また、弁Ｂ１〜Ｂ４は、水路の開閉を制御する機器である。貯留設備Ｔは、水処理の各段階において水を貯留する設備である。さらに、図示はしないが、各種の機器、配管には流量計が設けられている。なお、制御対象となる機器として、ポンプＰ、弁Ｂを例示しているが、これには限定されない。
【００１６】
［動力盤］
上記の水処理施設を構成する機器は、動力盤Ｄによって運転、停止等の制御が行われる（図２参照）。動力盤Ｄは、各機器の動作を制御するためのハードウェア回路によって構成される盤である。動力盤Ｄは、各機器及び後述するコントローラＣに信号線を介して接続され、例えば、コントローラＣからの運転信号、停止信号、設定信号に応じて、各機器へ供給される電力の入切、設定を制御する。なお、図示はしないが、各ポンプＰのモータＭには、メンテナンス時や故障時に、手動操作でのポンプＰの運転を可能とする現場操作盤が接続されている。現場操作盤は、ハードウェアの配線で構成したリレー回路、運転、停止を手動で入力するためのスイッチを有する。
【００１７】
［監視制御システム］
［構成］
図２を参照して、実施形態の監視制御システムを説明する。監視制御システムは、ネットワークＮを介して接続されたコントローラＣ、監視端末２０、監視サーバ３０、を有する。ネットワークＮは、情報の送受信が可能な伝送路である。ネットワークＮには、ルータ、スイッチ、ハブ等の通信設備が適宜配置されている。ネットワークＮは、制御系ネットワークＮ１、情報系ネットワークＮ２を含む。以下の説明では、制御系ネットワークＮ１及び情報系ネットワークＮ２を区別しない場合には、ネットワークＮとして説明する。
【００１８】
制御系ネットワークＮ１は、各機器を制御するための制御情報の送受信が可能なネットワークである。制御情報は、運転指令、停止指令等の動作指令を含み、機器の動作を制御するための情報である。情報系ネットワークＮ２は、監視情報の送受信が可能なネットワークである。監視情報は、水処理施設の状態及びネットワークＮの状態を監視するための情報である。水処理施設の状態は、機器の運転、停止、異常、水位等を含む。ネットワークＮの状態は、ネットワークＮに対する監視端末２０の接続の有無に関する情報を含む。
【００１９】
［コントローラ］
コントローラＣは、動力盤Ｄを介して、機器を制御するための情報の入出力を行う。コントローラＣは、ＰＬＣ（プログラマブルロジックコントローラ）によって構成される。コントローラＣは、制御系ネットワークＮ１に接続されるとともに、動力盤Ｄに信号線を介して接続される。コントローラＣは、制御系ネットワークＮ１を介して機器の運転指令、停止指令、設定指令等の操作指令が入力されると、あらかじめプログラムによって設定された制御ロジックに従って、動力盤Ｄに運転信号、停止信号、設定信号等の操作信号を出力する。なお、図２のＣ１は交換対象となる既設のコントローラ、Ｃ２は新設のコントローラである。なお、以下、機器と呼ぶ場合には、上記の水処理施設を構成する機器、動力盤Ｄ、ネットワークＮを構成する機器も含まれる。このため、コントローラＣも、後述する監視端末２０、監視サーバ３０も機器に含まれる。
【００２０】
［監視端末］
監視端末２０は、水処理施設の監視制御のための端末であり、ＨＭＩ（human machine interface）として機能する。監視端末２０は、第１の監視端末２０Ａ、第２の監視端末２０Ｂを含む。以下の説明では、第１の監視端末２０Ａ、第２の監視端末２０Ｂを区別しない場合には、監視端末２０として説明する。第１の監視端末２０Ａは、ネットワークＮに常時接続され、水処理施設の状態及びネットワークＮの状態を監視するための監視情報を、第１の表示装置２１Ａに表示させる装置である。常時接続とは、障害や故障等により一時的に通信不能な状態を除いて、継続的に接続されているこという。本実施形態においては、第１の監視端末２０Ａが接続されるネットワークＮは、情報系ネットワークＮ２のみでもよいし、制御系ネットワークＮ１及び情報系ネットワークＮ２の双方であってもよい。
【００２１】
第２の監視端末２０Ｂは、ネットワークＮに一時的に接続されることにより、監視情報を第２の表示装置２１Ｂに表示させ、水処理施設及びネットワークＮを構成する機器の動作確認を行う装置である。一時的に接続されるとは、機器の設置時、メンテナンス時、機器の交換時等において機器の動作確認を行うために接続され、作業を終了した後に切断されることをいう。また、第２の監視端末２０Ｂが接続されるネットワークＮは、制御系ネットワークＮ１のみであってもよいし、制御系ネットワークＮ１及び情報系ネットワークＮ２の双方であってもよい。
【００２２】
本実施形態の監視制御システムは、第２の監視端末２０Ｂが接続される接続部Ｊを有する。この接続部Ｊは、例えば、ネットワークＮに接続された通信設備に設けられた接続ポートである。コントローラＣ、動力盤Ｄ、各種機器が設置された場所に対応して複数設けられている。第２の監視端末２０Ｂを、コネクタを有するＬＡＮケーブル等によって、接続部Ｊに接続することにより、第２の監視端末２０ＢをネットワークＮに接続することができる。第２の監視端末２０Ｂとしては、例えば、可搬のパーソナルコンピュータ、タブレット端末等を使用することができる。
【００２３】
第１の表示装置２１Ａ、第２の表示装置２１Ｂは、監視制御システムの監視制御に必要な情報を視認可能となるように出力する出力装置である。以下、第１の表示装置２１Ａ、第２の表示装置２１Ｂを区別しない場合には、表示装置２１として説明する。表示装置２１としては、液晶、有機ＥＬ等のディスプレイを用いることができる。表示装置２１は、上記の図１で説明したフロー図の他、後述する履歴表示画面、システム構成画面、情報の入力のためのインタフェース等を表示する。なお、第１の監視端末２０Ａ、第２の監視端末２０Ｂは、表示装置２１の他にも、監視制御に必要な情報を出力する出力装置を有している。例えば、スピーカ、ランプ等は出力装置に含まれる。
【００２４】
接続部Ｊに第２の監視端末２０Ｂが接続された場合に、第１の監視端末２０Ａは、第２の監視端末２０Ｂに関する情報以外の監視情報を、第１の表示装置２１Ａに表示させ、第２の監視端末２０Ｂは、第２の監視端末２０Ｂに関する情報を含む監視情報を、第２の表示装置２１Ｂに表示させる。第２の監視端末２０Ｂに関する情報は、第２の監視端末２０ＢのネットワークＮへの接続の有無に関する情報、第２の監視端末２０Ｂが接続されたシステム構成図を含む。
【００２５】
また、第１の監視端末２０Ａ、第２の監視端末２０Ｂは、第１の入力装置２２Ａ、第２の入力装置２２Ｂを有する。以下、第１の入力装置２２Ａ、第２の入力装置２２Ｂを区別しない場合には、入力装置２２として説明する。入力装置２２は、機器を運転させる運転指令、機器を停止させる停止指令等を、オペレータが入力する装置である。入力装置２２は、キーボード、マウス、タッチパネル等により構成される。
【００２６】
監視端末２０は、ＣＰＵ、プロセッサ等の演算装置及びプログラム及びデータを記憶したメモリ、ＨＤＤ、ＳＳＤ等の記憶装置を含み構成され、演算装置が、記憶装置から読み出したプログラム及びデータに従って、入力装置２２から入力される情報、表示装置２１に表示する情報を処理するコンピュータによって構成できる。
【００２７】
監視端末２０は、このようなプログラムの働きによって、図３のブロック図に示すように、通信部２１０、履歴処理部２２０、システム構成処理部２３０、動作確認部２４０、記憶部２５０として機能する。通信部２１０は、ネットワークＮを介して情報の送受信を行う。履歴処理部２２０は、履歴情報の表示装置２１への表示を制御する。システム構成処理部２３０は、システム構成画面の表示装置２１への表示を制御する。
【００２８】
このような履歴情報の表示画面、システム構成図の表示画面を、図４及び図５を参照して説明する。履歴情報は、図４（Ａ）、（Ｂ）に示すように、水処理施設の状態及びネットワークＮの状態を時系列で示す情報である。履歴情報には、例えば、ポンプの運転及び停止、弁の開及び閉、水の流量、貯留設備の水位が含まれる。また、履歴情報は、状態が発生した順番に、上又は下から並べて表示される。表示画面に表示しきれない履歴情報は、順次スクロールアウトする。過去の履歴情報は、入力装置２２によってスクロールさせることにより、表示することができる。
【００２９】
各履歴情報は、状態の発生日と、発生時刻、対象機器名と、状態を含む。重要度、緊急度等に応じて色分け表示することにより、さらに緊急度の高いものは目立つ色として、アラームとすることができる（図４（Ａ）参照）。また、アラームを表示させる場合に、スピーカから警告音を出力することもできる。このように、履歴情報には、アラームも含まれる。
【００３０】
システム構成図は、図５（Ａ）、（Ｂ）に示すように、信号の伝送経路であるケーブルと、これに接続された監視端末２０を図示したものである。このようなシステム構成図を表示する画面を、システム構成画面とする。システムに接続することができる監視端末２０は、ＩＰアドレス、ＭＡＣアドレス等、識別情報があらかじめ登録されている。つまり、システムにあらかじめ登録されていない監視端末２０は、ＬＡＮケーブル等が物理的に接続されても、信号が送受信可能な状態でネットワークＮに接続されることはない。例えば、接続部Ｊに、外部者のパーソナルコンピュータが接続されたとしても、あらかじめ登録されていない場合には、システムに認識されない。例えば、パスワード等の認証情報によってログインできないようにしてもよい。
【００３１】
履歴処理部２２０は、図３に示すように、検知部２２１、配信判定部２２２、履歴作成部２２３、履歴表示部２２４を有する。検知部２２１は、通信部２１０がネットワークＮを介して受信した情報に基づいて、履歴情報の対象となる事象が発生したことを検知する。配信判定部２２２は、第２の監視端末２０Ｂに関する履歴情報であるか否かに基づいて、履歴情報について他の第１の監視端末２０Ａに配信する「配信」とするか、配信しない「非配信」とするかを判定する。つまり、第２の監視端末２０Ｂに関する履歴情報である場合には、「非配信」として、それ以外の履歴情報である場合には「配信」と判定する。履歴作成部２２３は、履歴情報を「配信」又は「非配信」の設定で作成する。つまり、第２の監視端末２０Ｂに関する履歴情報は、「非配信」の設定で作成する。他の履歴情報は、「配信」の設定で作成する。作成された履歴情報は、通信部２１０によってネットワークＮに送信される。
【００３２】
履歴表示部２２４は、履歴情報を表示装置２１に表示させる。このとき、第１の監視端末２０Ａは、図４（Ｂ）に示すように、履歴及びアラームのうち、「配信」となっているものは表示するが、「非配信」となっているものは表示しない。例えば、第２の監視端末２０Ｂが接続されたという情報は表示しない。第２の監視端末２０Ｂは、履歴及びアラームのうち、「非配信」となっているものも、「配信」となっているものも表示する。例えば、第２の監視端末２０Ｂが接続されたという情報も、他の監視情報に含めて表示する。
【００３３】
システム構成処理部２３０は、図３に示すように、構成作成部２３１、構成付加部２３２、構成表示部２３３を有する。構成作成部２３１は、通信部２１０がネットワークＮを介して受信した情報に基づいて、第２の監視端末２０Ｂを含まないシステム構成図を作成する。構成付加部２３２は、自らが第２の監視端末２０Ｂである場合に、システム構成図に、第２の監視端末２０Ｂを付加する。構成表示部２３３は、システム構成画面を表示装置２１に表示させる。このとき、図５（Ｂ）に示すように、第１の監視端末２０Ａは、第２の監視端末２０Ｂを含まないシステム構成画面を第１の表示装置２１Ａに表示させる。図５（Ｂ）においては、第１の監視端末２０Ａは、ＨＭＩ−１、ＨＭＩ−２、ＨＭＩ−３として表示されている。監視サーバ３０は、Ｓ−１、Ｓ−２として表示されている。コントローラＣ１、Ｃ２は、ＣＴ−１、ＣＴ−２として表示されている。第２の監視端末２０Ｂは、図５（Ａ）に示すように、第２の監視端末２０Ｂを含むシステム構成画面を第２の表示装置２１Ｂに表示させる。図５（Ｂ）においては、第２の監視端末２０Ｂは、他の機器とともに、ＨＭＩ−０として表示されている。
【００３４】
動作確認部２４０は、現場作業者等が水処理施設を監視制御するための情報の入出力を行う。例えば、動作確認部２４０は、入力装置２２からの操作に応じて、機器の動作指令を出力する。この動作指令は、通信部２１０を介してコントローラＣに送信される。また、現場作業者の操作による機器の動作結果を示す信号は、通信部２１０を介して、動作確認部２４０に入力され、表示装置２１に表示される。なお、監視端末２０は、通常の監視制御用の情報の入出力の機能、例えば、動作指令を出力して機器を実際に動作させる機能も有している。
【００３５】
記憶部２５０は、監視端末２０の処理に必要な情報を記憶する。履歴及びアラーム、システム構成図等の監視情報、ＧＵＩ部品等、表示装置２１により表示される画面インタフェース、監視端末２０の識別情報等は、記憶部２５０に記憶される情報に含まれる。
【００３６】
［監視サーバ］
監視サーバ３０は、監視情報を管理するコンピュータである。監視サーバ３０は、制御系ネットワークＮ１、情報系ネットワークＮ２に接続され、コントローラＣ、監視端末２０からの情報の受信及び記憶、コントローラＣ、監視端末２０への情報の送信を行う。つまり、監視サーバ３０は、監視制御に必要な情報をログとして収集し、配信する。ここで、上記の履歴情報、システム構成図を生成するためのシステム構成情報等については、監視サーバ３０に送信され、ログとして記憶される。監視サーバ３０は、監視端末２０へ履歴情報、システム構成等を配信する。但し、「配信」となっている履歴情報はアラームも含めて全ての監視端末２０へ配信するが、「非配信」となっている履歴情報はアラームも含めて第１の監視端末２０Ａには配信しない。なお、各監視端末２０が、このような監視サーバ３０の機能を果たすことで、監視サーバ３０を省略することもできる。
【００３７】
［動作］
以上のような本実施形態の動作を、上記の図面に加えて、図６〜図７を参照して説明する。なお、以下のように監視制御を行う監視制御方法、動作確認方法も実施形態の一態様である。
【００３８】
［履歴表示処理］
本実施形態の履歴表示処理を、図６のフローチャート、図７の説明図を参照して説明する。まず、第２の監視端末２０Ｂが未接続の場合の処理を説明する。第１の監視端末２０Ａの検知部２２１は、履歴情報の対象となる事象の発生を待つ（ステップＳ１０１のＮО）。検知部２２１は、監視サーバ３０又はコントローラＣから送信される情報に基づいて、履歴情報の対象となる事象が発生したことを検知した場合（ステップＳ１０１のＹＥＳ）、配信判定部２２２は、履歴情報を第２の監視端末２０Ｂに関する情報でないと判定する（ステップＳ１０２のＮО）。履歴作成部２２３は、「配信」の設定で履歴情報を作成する（ステップＳ１０３）。そして、第１の監視端末２０Ａの履歴表示部２２４は、自身が第２の監視端末２０Ｂではないため（ステップＳ１０５のＮО）、図４（Ｂ）に示すように、第１の表示装置２１Ａに、「配信」の設定の履歴情報を、アラームを含めて表示させる（ステップＳ１０６）。このような「配信」とされた履歴情報は、監視サーバ３０に送信され、ログとして管理されるとともに、他の監視端末２０に配信される。
【００３９】
次に、第２の監視端末２０Ｂが接続された場合の処理を説明する。図７に示すように、機器の設置時、メンテナンス時、交換時等に、現地作業員が、第２の監視端末２０Ｂを、対象となる機器、動力盤等の設置場所に持参して、その設置場所の近傍の接続部Ｊに、ＬＡＮケーブルを介して接続する。
【００４０】
すると、第２の監視端末２０Ｂの検知部２２１は、自らの接続を履歴情報の事象として検知する（ステップＳ１０１のＹＥＳ）。この事象を、配信判定部２２２は、第２の監視端末２０Ｂに関する情報と判定するため（ステップＳ１０２のＹＥＳ）、履歴作成部２２３は、「非配信」の設定で履歴情報を作成する（ステップＳ１０４）。第２の監視端末２０Ｂの履歴表示部２２４は、自身が第２の監視端末２０Ｂであるため（ステップＳ１０５のＹＥＳ）、図４（Ａ）に示すように、「配信」となっている履歴情報も、「非配信」となっている履歴情報も、第２の表示装置２１Ｂに、アラームも含めて表示させる（ステップＳ１０７）。「非配信」となっている履歴情報は、監視サーバ３０に送信されてログとして管理されるが、第１の監視端末２０Ａには配信されない。
【００４１】
つまり、第１の監視端末２０Ａの履歴表示部２２４は、自身が第２の監視端末２０Ｂではないため（ステップＳ１０５のＮО）、図４（Ｂ）に示すように、「配信」となっている履歴情報のみの配信を受けて、アラームを含めて第１の表示装置２１Ａに表示させる（ステップＳ１０６）。つまり、第２の監視端末２０Ｂが接続されたという情報は、第１の表示装置２１Ａには表示されない。なお、第２の監視端末２０Ｂの接続が解除された場合にも、上記と同様に、「非配信」の設定とされ、第２の表示装置２１Ｂには表示されるが、第１の表示装置２１Ａには表示されない。
【００４２】
［システム構成表示処理］
以上のような本実施形態におけるシステム構成表示処理を、上記の図面に加えて、図８のフローチャートを参照して説明する。
【００４３】
まず、第２の監視端末２０Ｂが未接続の場合の処理を説明する。第１の監視端末２０Ａの構成作成部２３１は、通信部２１０がネットワークＮを介して受信した情報に基づいて、システム構成図を作成する（ステップＳ２０１）。そして、第１の監視端末２０Ａは、自身が第２の監視端末２０Ｂではないため（ステップＳ２０２のＮО）、構成表示部２３３は、図５（Ｂ）に示すように、第２の監視端末２０Ｂを含まないシステム構成画面を、第１の表示装置２１Ａに表示させる（ステップＳ２０４）。
【００４４】
次に、第２の監視端末２０Ｂが接続された場合の処理を説明する。図７に示すように、現地作業員が、第２の監視端末２０Ｂを、ＬＡＮケーブルを介して接続部Ｊに接続する。第２の監視端末２０Ｂの構成作成部２３１は、通信部２１０がネットワークＮを介して受信した情報に基づいて、第２の監視端末２０Ｂを含まないシステム構成図を作成する（ステップＳ２０１）。
【００４５】
第２の監視端末２０Ｂは、自らが第２の監視端末２０Ｂであるため（ステップＳ２０２のＹＥＳ）、構成付加部２３２が、システム構成図に、第２の監視端末２０Ｂを付加する（ステップＳ２０３）。構成表示部２３３は、第２の監視端末２０Ｂを含むシステム構成画面を第２の表示装置２１Ｂに表示させる（ステップＳ２０４）。
【００４６】
一方、第２の監視端末２０Ｂが接続された場合であっても、第１の監視端末２０Ａの構成作成部２３１は、自身が第２の監視端末２０Ｂではない（ステップＳ２０２のＮО）。このため、上記と同様に、構成表示部２３３は、第２の監視端末２０Ｂを含まないシステム構成画面を、第１の表示装置２１Ａに表示させる（ステップＳ２０４）。
【００４７】
［動作確認］
なお、現地作業員が、第２の監視端末２０Ｂの第２の入力装置２２Ｂを操作することにより、動作確認部２４０は、新しい機器の動作指令を出力し、この動作指令が通信部２１０により対象機器に送信される。また、通信部２１０が受信したコントローラＣ等の対象機器からの動作結果を示す信号は、動作確認部２４０に入力され、表示装置２１に表示される。これにより現地作業者が動作確認をすることができる。例えば、図２に示した新設のコントローラＣ２に、対象となる機器の動作指令を出力する。この動作指令に応じて、機器が動作した場合には、機器から動作信号を出力させて第２の監視端末２０Ｂに表示されることを確認する。このような動作確認は、監視制御システムの不具合の原因を究明するためにも行う。
【００４８】
このように、現地作業員は、確認作業の都度、第２の監視端末２０Ｂを監視室または現場に持ち込み、ネットワークＮに接続した上で、第２の表示装置２１Ｂの画面上で新しい機器の動作確認等を実施する。作業終了時には、第２の監視端末２０ＢをネットワークＮから切断し回収する。なお、確認作業における情報の入出力の情報は、配信判定部２２２により第２の監視端末２０Ｂに関する情報として判定されるので、履歴作成部２２３により「非配信」の履歴情報として作成される。このため、監視サーバ３０に送信されてログとして管理されるが、第１の監視端末２０Ａには配信されず、第１の表示装置２１Ａには表示されない。
【００４９】
［作用効果］
（１）本実施形態の水処理施設の監視制御システムは、ネットワークＮに常時接続され、水処理施設の状態及びネットワークＮの状態を監視するための監視情報を第１の表示装置２１Ａに表示させる第１の監視端末２０Ａと、ネットワークＮに一時的に接続されることにより、監視情報を第２の表示装置２１Ｂに表示させ、前記水処理施設及び前記ネットワークを構成する機器の動作確認を行う第２の監視端末２０Ｂを、ネットワークＮに接続するための接続部Ｊと、を有し、接続部Ｊに第２の監視端末２０Ｂが接続された場合に、第１の監視端末２０Ａは、第２の監視端末２０Ｂに関する情報以外の監視情報を、第１の表示装置２１Ａに表示させ、第２の監視端末２０Ｂは、第２の監視端末２０Ｂに関する情報を含む監視情報を、第２の表示装置２１Ｂに表示させる。
【００５０】
このため、現地作業員は、第２の監視端末２０Ｂを機場に持ち込み、ネットワークＮに接続した後、第２の監視端末２０Ｂで監視情報を表示させて動作確認を行うことができる。このように、現地作業員は、第２の監視端末２０Ｂを現地作業員用の装置として持ち込んで使用することができるので、被納入者の第１の監視端末２０Ａを占有することなく作業を実施することができる。
【００５１】
このような作業中、第２の監視端末２０Ｂ以外の第１の監視端末２０Ａの第１の表示装置２１Ａには、第２の監視端末２０Ｂに関する監視情報が表示されない。このため、被納入者が常時使用している第１の表示装置２１Ａの表示が、第２の監視端末２０Ｂに影響されることなく、監視業務を妨げられる可能性を低減できる。また、現場作業者は、被納入者の業務状況、業務時間によらず、効率的な作業を行うことができ、作業時間の延長によるコストの増大を抑えることができる。
【００５２】
また、図９に示すように、監視室Ｒ１に対して、現場Ｒ２が遠隔の地にある場合であっても、現地作業員は、第２の監視端末２０Ｂを現場Ｒ２に持ち込んで、機器に対する操作信号の入出力と動作確認を、例えば、１人で実施することができる。
【００５３】
つまり、監視制御システムでは、監視端末２０は通常、コントローラＣやポンプＰ、弁Ｂ、動力盤Ｄなどの機器が設置された現場から離れた、監視室Ｒ１等に設置されている。そのため、機器の操作が必要な作業では、監視室Ｒ１において監視端末２０で入出力の確認をする人員と、監視室Ｒ１から離れた現場Ｒ２において機器からの入出力を操作する人員とで、最低１名ずつ、計２名の人員が必要であった。このため、本実施形態によれば、作業人員を削減することができる。
【００５４】
（２）監視情報は、水処理施設の状態及びネットワークの状態を時系列で示す履歴情報を含む。このため、第１の監視端末２０Ａの第１の表示装置２１Ａに、第２の監視端末２０Ｂに関する履歴情報が発生する都度表示されることがなくなるので、被納入者の業務が煩わされることが防止される。
【００５５】
（３）接続部Ｊに第２の監視端末２０Ｂが接続された場合に、第２の監視端末２０Ｂは、第１の監視端末２０Ａに配信しない設定で、履歴情報を作成し、第１の監視端末２０Ａは、第２の監視端末２０Ｂに配信する設定で、履歴情報を作成する。このため、第２の監視端末２０Ｂが接続された事実は、履歴情報として作成されて管理することができるとともに、第１の監視端末２０Ａの第１の表示装置２１Ａには、非表示とすることができる。
【００５６】
（４）監視情報は、ネットワークＮの状態を示すシステム構成を図示するためのシステム構成情報を含み、接続部Ｊに第２の監視端末２０Ｂが接続された場合に、第２の監視端末２０Ｂは、第２の監視端末２０Ｂを含むシステム構成図を、第２の表示装置２１Ｂに表示させ、第１の監視端末２０Ａは、第２の監視端末２０Ｂを含まないシステム構成図を、第２の表示装置２１Ｂに表示させる。このため、第１の監視端末２０Ａの第１の表示装置２１Ａに、第２の監視端末２０Ｂが接続される都度、システム構成に含めて表示されることがなくなるので、被納入者の業務が煩わされることが防止される。
【００５７】
［他の態様］
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００５８】
（１）第２の監視端末２０Ｂに関する情報は、第２の監視端末２０ＢのネットワークＮへの接続及び切断の情報、ネットワークＮの構成上の第２の監視端末２０Ｂの情報には限定されない。第２の監視端末２０Ｂからの情報の入出力、第２の監視端末２０Ｂの故障等も含まれる。
【００５９】
（２）「非配信」となった履歴情報は、監視サーバ３０が配信するが、これを受信した第１の監視端末２０Ａが第１の表示装置２１Ａに表示しない設定としてもよい。この場合、「配信」の設定を「表示」、「非配信」の設定を「非表示」としてもよい。また、第１の監視端末２０Ａは、第１の入力装置２２Ａからの被納入者の入力により、第２の監視端末２０Ｂに関する情報を、第１の表示装置２１Ａに表示させるモードと、表示させないモードとを選択できるモード選択部を有していてもよい。
【００６０】
（３）監視端末２０、監視サーバ３０、コントローラＣは、コンピュータにプログラムを実行させることにより実現できる。この場合のプログラムは、コンピュータのハードウェアを物理的に活用することで、上記のような処理を実現するものである。このため、上記の処理を実行する方法、プログラム及びプログラムを記録した記録媒体も、実施形態の一態様である。ハードウェアで処理する範囲、データ、プログラムを含むソフトウェアで処理する範囲をどのように設定するかは、特定の態様には限定されない。
【００６１】
（４）本実施形態の監視対象となる水処理施設は、上水道のみならず、下水道であってもよい。制御対象となる機器も、ポンプには限定されず、各種の弁等、水処理施設が備える種々の機器が適用可能である。
【符号の説明】
【００６２】
２０  監視端末
２０Ａ  第１の監視端末
２０Ｂ  第２の監視端末
２１  表示装置
２１Ａ  第１の表示装置
２１Ｂ  第２の表示装置
２２  入力装置
２２Ａ  第１の入力装置
２２Ｂ  第２の入力装置
３０  監視サーバ
２１０  通信部
２２０  履歴処理部
２２１  検知部
２２２  配信判定部
２２３  履歴作成部
２２４  履歴表示部
２３０  システム構成処理部
２３１  構成作成部
２３２  構成付加部
２３３  構成表示部
２４０  動作確認部
２５０  記憶部
Ｂ、Ｂ１、Ｂ２、Ｂ３、Ｂ４  弁
Ｃ  コントローラ
Ｄ  動力盤
Ｊ  接続部
Ｍ、Ｍ１、Ｍ２、Ｍ３、Ｍ４  モータ
Ｎ  ネットワーク
Ｎ１  制御系ネットワーク
Ｎ２  情報系ネットワーク
Ｐ、Ｐ１、Ｐ２、Ｐ３、Ｐ４  ポンプ
Ｔ  貯留設備
【図１】
2020086579.tif 000003
【図２】
2020086579.tif 000004
【図３】
2020086579.tif 000005
【図４】
2020086579.tif 000006
【図５】
2020086579.tif 000007
【図６】
2020086579.tif 000008
【図７】
2020086579.tif 000009
【図８】
2020086579.tif 000010
【図９】
2020086579.tif 000011